【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】
データ記憶手段およびデータ制御手段とを有する第１のメモリデバイスと、
データ記憶手段およびデータ制御手段とを有する第２のメモリデバイスとを有し、
前記第１のメモリデバイスは、前記第２のメモリデバイスに関する発行管理テーブルを格納し、
前記第２のメモリデバイスは、該第２のメモリデバイスを適用したデータ処理を実行するアプリケーションプログラムを格納するとともに、該アプリケーションプログラムを識別するサービスコードを含むデータに対する前記第１のメモリデバイスの固有の秘密鍵による電子署名のなされた発行証明を格納し、
前記第２のメモリデバイスの発行処理、または前記第２のメモリデバイスに対する前記発行証明の発行処理の実行制御を、前記第１のメモリデバイスに格納された前記発行管理テーブルに基づいて行なう構成を有することを特徴とするデータ処理システム。
【請求項２】
前記第１のメモリデバイスに格納された前記発行管理テーブルは、
前記サービスコードと、前記第２のメモリデバイスまたは前記発行証明の発行上限数、および既発行数を対応付けたテーブルであり、
前記第２のメモリデバイスまたは前記発行証明の発行処理を、該発行処理に係るサービスコードに対応する前記発行管理テーブル内のデータが、既発行数＜発行上限数であることを条件として実行する構成であることを特徴とする請求項１に記載のデータ処理システム。
【請求項３】
前記第２のメモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記第２のメモリデバイスと、前記サービスコードに対応するサービス提供主体としてのエンティテイの管理機器との公開鍵方式による認証処理を実行し、該認証の成立、および不正デバイスの識別子（ＩＤ）を格納したリボケーションリストに前記第２のメモリデバイスの識別子（ＩＤ）の登録がないことを条件として前記下位アプリケーションプログラムを実行可能とする制御を行なう構成を有することを特徴とする請求項１に記載のデータ処理システム。
【請求項４】
前記第２のメモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記第２のメモリデバイスと、前記サービスコードに対応するサービス提供主体としてのエンティテイの管理機器との公開鍵方式による認証処理を実行し、該認証の成立、および前記上位アプリケーションプログラムに対応するサービスコードと、前記発行証明に格納されたサービスコードとの一致を条件として前記下位アプリケーションプログラムを実行可能とする制御を行なう構成を有することを特徴とする請求項１に記載のデータ処理システム。
【請求項５】
前記第２のメモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記第２のメモリデバイスと、前記サービスコードに対応するサービス提供主体としてのエンティテイの管理機器との公開鍵方式による認証処理を実行し、
前記管理機器は、
前記認証の成立、および不正デバイスの識別子（ＩＤ）を格納したリボケーションリストに前記第２のメモリデバイスの識別子（ＩＤ）の登録がないことを条件として前記下位アプリケーションプログラムを実行可能とする制御を行なう構成を有することを特徴とする請求項１に記載のデータ処理システム。
【請求項６】
前記第２のメモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記第２のメモリデバイスと、前記サービスコードに対応するサービス提供主体としてのエンティテイの管理機器との公開鍵方式による認証処理を実行し、
前記管理機器は、
前記認証の成立、および前記上位アプリケーションプログラムに対応するサービスコードと、前記発行証明に格納されたサービスコードとの一致を条件として前記下位アプリケーションプログラムを実行可能とする制御を行なう構成を有することを特徴とする請求項１に記載のデータ処理システム。
【請求項７】
データ記憶手段およびデータ制御手段とを有するメモリデバイスであり、
前記メモリデバイスを親メモリデバイスとし、子メモリデバイスの発行処理または該子メモリデバイスに対する発行証明の発行処理の実行制御プログラムと、
前記子メモリデバイスに関する発行管理テーブルと、
を格納した構成を有し、
前記発行管理テーブルは、
前記子メモリデバイスを適用したデータ処理を実行するアプリケーションプログラムを識別するサービスコードと、前記子メモリデバイスまたは前記発行証明の発行上限数、および既発行数を対応付けたテーブルであり、
前記子メモリデバイスまたは前記発行証明の発行処理は、該発行処理に係るサービスコードに対応する前記発行管理テーブル内のデータが、既発行数＜発行上限数であることを条件として実行する構成であることを特徴とするメモリデバイス。
【請求項８】
データ記憶手段およびデータ制御手段とを有するメモリデバイスであり、
該メモリデバイスを適用したデータ処理を実行するアプリケーションプログラムを格納するとともに、該アプリケーションプログラムを識別するサービスコードを含むデータに対する他のメモリデバイスである親メモリデバイスの固有の秘密鍵による電子署名のなされた発行証明を格納した構成を有し、
前記メモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記メモリデバイスと、前記サービスコードに対応するサービス提供主体としてのエンティテイの管理機器との公開鍵方式による認証処理を実行し、該認証の成立、および不正デバイスの識別子（ＩＤ）を格納したリボケーションリストに前記メモリデバイスの識別子（ＩＤ）の登録がないことを条件として前記下位アプリケーションプログラムを実行可能とする制御を行なう構成を有することを特徴とするメモリデバイス。
【請求項９】
データ記憶手段およびデータ制御手段とを有するメモリデバイスであり、
該メモリデバイスを適用したデータ処理を実行するアプリケーションプログラムを格納するとともに、該アプリケーションプログラムを識別するサービスコードを含むデータに対する他のメモリデバイスである親メモリデバイスの固有の秘密鍵による電子署名のなされた発行証明を格納した構成を有し、
前記メモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記メモリデバイスと、前記サービスコードに対応するサービス提供主体としてのエンティテイの管理機器との公開鍵方式による認証処理を実行し、該認証の成立、および前記上位アプリケーションプログラムに対応するサービスコードと、前記発行証明に格納されたサービスコードとの一致を条件として前記下位アプリケーションプログラムを実行可能とする制御を行なう構成を有することを特徴とするメモリデバイス。
【請求項１０】
メモリデバイスとの通信可能なデータ処理装置であり、
前記メモリデバイスと公開鍵方式による認証処理を実行し、該認証の成立を条件として前記メモリデバイスに格納された他のメモリデバイスである親メモリデバイスの発行した発行証明を取得し、該発行証明内のサービスコードと前記メモリデバイスに格納されたアプリケーションプログラムに対応するサービスコードの一致を条件として該アプリケーションプログラムの適用制御を行なうことを特徴とするデータ処理装置。
【請求項１１】
第１のメモリデバイスの格納データに基づいて第２のメモリデバイスの発行処理、または第２のメモリデバイスに対する発行証明の格納処理を実行するデータ処理方法であり、
前記第１のメモリデバイスに格納された、前記第２のメモリデバイスに関する発行管理テーブルに基づいて第２のメモリデバイスの発行処理、または第２のメモリデバイスに対する発行証明の格納処理の可否を判定するステップと、
第２のメモリデバイスに格納されたアプリケーションプログラムを識別するサービスコードを含むデータに対して、前記第１のメモリデバイスの固有の秘密鍵による電子署名を実行した発行証明を生成し、前記第２のメモリデバイスに格納するステップと、
を有することを特徴とするデータ処理方法。
【請求項１２】
前記第１のメモリデバイスに格納された前記発行管理テーブルは、
前記サービスコードと、前記第２のメモリデバイスまたは前記発行証明の発行上限数、および既発行数を対応付けたテーブルであり、
前記第２のメモリデバイスまたは前記発行証明の発行処理を、該発行処理に係るサービスコードに対応する前記発行管理テーブル内のデータが、既発行数＜発行上限数であることを条件として実行することを特徴とする請求項１１に記載のデータ処理方法。
【請求項１３】
前記第２のメモリデバイスの発行処理、または前記発行証明の発行処理は、
不正デバイスの識別子（ＩＤ）を格納したリボケーションリストに前記第１のメモリデバイスの識別子（ＩＤ）の登録がないことを条件として実行することを特徴とする請求項１１に記載のデータ処理方法。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】変更
【補正の内容】
【００３８】
さらに、本発明の第２の側面は、
データ記憶手段およびデータ制御手段とを有するメモリデバイスであり、
前記メモリデバイスを親メモリデバイスとし、子メモリデバイスの発行処理または該子メモリデバイスに対する発行証明の発行処理の実行制御プログラムと、
前記子メモリデバイスに関する発行管理テーブルと、
を格納した構成を有し、
前記発行管理テーブルは、
前記子メモリデバイスを適用したデータ処理を実行するアプリケーションプログラムを識別するサービスコードと、前記子メモリデバイスまたは前記発行証明の発行上限数、および既発行数を対応付けたテーブルであり、
前記子メモリデバイスまたは前記発行証明の発行処理は、該発行処理に係るサービスコードに対応する前記発行管理テーブル内のデータが、既発行数＜発行上限数であることを条件として実行する構成であることを特徴とするメモリデバイスにある。
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】変更
【補正の内容】
【００４１】
さらに、本発明の第３の側面は、
データ記憶手段およびデータ制御手段とを有するメモリデバイスであり、
該メモリデバイスを適用したデータ処理を実行するアプリケーションプログラムを格納するとともに、該アプリケーションプログラムを識別するサービスコードを含むデータに対する他のメモリデバイスである親メモリデバイスの固有の秘密鍵による電子署名のなされた発行証明を格納した構成を有し、
前記メモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記メモリデバイスと、前記サービスコードに対応するサービス提供主体としてのエンティテイの管理機器との公開鍵方式による認証処理を実行し、該認証の成立、および不正デバイスの識別子（ＩＤ）を格納したリボケーションリストに前記メモリデバイスの識別子（ＩＤ）の登録がないことを条件として前記下位アプリケーションプログラムを実行可能とする制御を行なう構成を有することを特徴とするメモリデバイスにある。
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】削除
【補正の内容】
【手続補正２６】
【補正対象書類名】明細書
【補正対象項目名】００４６
【補正方法】変更
【補正の内容】
【００４６】
さらに、本発明のメモリデバイスの一実施態様は、
データ記憶手段およびデータ制御手段とを有するメモリデバイスであり、
該メモリデバイスを適用したデータ処理を実行するアプリケーションプログラムを格納するとともに、該アプリケーションプログラムを識別するサービスコードを含むデータに対する他のメモリデバイスである親メモリデバイスの固有の秘密鍵による電子署名のなされた発行証明を格納した構成を有し、
前記メモリデバイスは、
前記サービスコードに対応するサービスを実行するアプリケーションプログラムを格納した構成であり、
共通鍵方式による認証の成立を条件としてデータ処理を実行する下位アプリケーションプログラムと、該下位アプリケーションプログラムの実行制御を行なう上位アプリケーションプログラムとを有し、
前記上位アプリケーションプログラムは、
前記メモリデバイスと、前記サービスコードに対応するサービス提供主体としてのエンティテイの管理機器との公開鍵方式による認証処理を実行し、該認証の成立、および前記上位アプリケーションプログラムに対応するサービスコードと、前記発行証明に格納されたサービスコードとの一致を条件として前記下位アプリケーションプログラムを実行可能とする制御を行なう構成を有することを特徴とするメモリデバイスにある。
【手続補正２７】
【補正対象書類名】明細書
【補正対象項目名】００４７
【補正方法】削除
【補正の内容】
【手続補正２８】
【補正対象書類名】明細書
【補正対象項目名】００４８
【補正方法】削除
【補正の内容】
【手続補正２９】
【補正対象書類名】明細書
【補正対象項目名】００４９
【補正方法】削除
【補正の内容】
【手続補正３０】
【補正対象書類名】明細書
【補正対象項目名】００５０
【補正方法】削除
【補正の内容】
【手続補正３１】
【補正対象書類名】明細書
【補正対象項目名】００５２
【補正方法】削除
【補正の内容】
【手続補正３２】
【補正対象書類名】明細書
【補正対象項目名】００５５
【補正方法】削除
【補正の内容】
【手続補正３３】
【補正対象書類名】明細書
【補正対象項目名】００５７
【補正方法】削除
【補正の内容】
【手続補正３４】
【補正対象書類名】明細書
【補正対象項目名】００５８
【補正方法】削除
【補正の内容】
【手続補正３５】
【補正対象書類名】明細書
【補正対象項目名】００５９
【補正方法】削除
【補正の内容】
【手続補正３６】
【補正対象書類名】明細書
【補正対象項目名】００６０
【補正方法】削除
【補正の内容】
【手続補正３７】
【補正対象書類名】明細書
【補正対象項目名】００６１
【補正方法】削除
【補正の内容】
【手続補正３８】
【補正対象書類名】明細書
【補正対象項目名】００６２
【補正方法】削除
【補正の内容】
【手続補正３９】
【補正対象書類名】明細書
【補正対象項目名】００６３
【補正方法】削除
【補正の内容】
【手続補正４０】
【補正対象書類名】明細書
【補正対象項目名】００６４
【補正方法】削除
【補正の内容】
【手続補正４１】
【補正対象書類名】明細書
【補正対象項目名】００６５
【補正方法】削除
【補正の内容】
【手続補正４２】
【補正対象書類名】明細書
【補正対象項目名】００６６
【補正方法】削除
【補正の内容】
【手続補正４３】
【補正対象書類名】明細書
【補正対象項目名】００６７
【補正方法】削除
【補正の内容】
【手続補正４４】
【補正対象書類名】明細書
【補正対象項目名】００６８
【補正方法】削除
【補正の内容】
【手続補正４５】
【補正対象書類名】明細書
【補正対象項目名】００６９
【補正方法】削除
【補正の内容】
【手続補正４６】
【補正対象書類名】明細書
【補正対象項目名】００７０
【補正方法】削除
【補正の内容】